(57)【要約】【課題】扉や機械式錠前に対して、極力、孔、切欠等の加工を施さないで電気錠の入力部材を付加することができること。【解決手段】扉に取付けられ、かつ、少なくともシリンダ錠用第１嵌合孔、外側ハンドル用第２嵌合孔を有する機械式錠前と、この機械式錠前の前記嵌合孔にそれぞれ符合する複数個の扉孔が形成されている扉の外壁面と、前記機械式錠前の嵌合孔並びに扉孔にそれぞれ符合する上下の嵌挿孔を有すると共に、前面に突設形成された入力手段用の収納部を有し、かつ、前記上方の嵌挿孔に嵌入するシリンダ錠及び下方の嵌挿孔に軸部が嵌入する外側ハンドルを介して扉の外壁面に固定的に添設される取付け入力板とから成る機械式錠前に対する電気錠の入力部材の取付構造。【選択図】  図２
2005016271.tif 000002
【特許請求の範囲】
【請求項１】
扉に取付けられ、かつ、少なくともシリンダ錠用第１嵌合孔、外側ハンドル用第２嵌合孔を有する機械式錠前と、この機械式錠前の前記嵌合孔にそれぞれ符合する複数個の扉孔が形成されている扉の外壁面と、前記機械式錠前の嵌合孔並びに扉孔にそれぞれ符合する上下の嵌挿孔を有すると共に、前面に突設形成された入力手段用の収納部を有し、かつ、前記上方の嵌挿孔に嵌入するシリンダ錠及び下方の嵌挿孔に軸部が嵌入する外側ハンドルを介して扉の外壁面に固定的に添設される取付け入力板とから成る機械式錠前に対する電気錠の入力部材の取付構造。
【請求項２】
請求項１に於いて、長板状取付け入力板は、さらに、該取付け入力板の前面に添設され、かつ、該取付け入力板、扉孔、及び機械式錠前の係合部にそれぞれ嵌入するメネジ杆２１を有する取付け座と、前記メネジ杆２１に螺合する固着具３９を介して扉の外壁面に固定的に添設されることを特徴とする機械式錠前に対する電気錠の入力部材の取付構造。
【請求項３】
請求項１に於いて、入力手段用の収納部２６には、制御部用起動スイッチ２７と、該起動スイッチの起動信号を制御部４７が受け取った後に該制御部に対して入力が可能になる入力部２８とが設けられていることを特徴とする機械式錠前に対する電気錠の入力部材の取付構造。
【請求項４】
請求項１に於いて、入力部２８は、非接触型の受信部であり、該受信部２８は、携帯型情報記憶媒体５１の送信部５６から投げられた識別信号ｂを受信して制御部４７へと送ることを特徴とする機械式錠前に対する電気錠の入力部材の取付構造。
【請求項５】
請求項４に於いて、電源部４６及び制御部４７を有する後付け制御箱４５は、扉の内壁面２２に添設される裏側の取付け板４０を介して機械式錠前１．１Ａに後付けされ、前記制御部４７は、扉の外壁面側の入力部から送られてくるデータを読み取るデータ読み取り回路６０と、メモリー６２に登録されている正規情報と当該識別信号ｂとが一致するか否かを照合し、かつ、判別するデータ照合判別回路６１と、データ照合判別回路６１が「当該識別信号ｂは正規のものである」と判別した時に駆動源６４を起動させる駆動源制御回路６３と、駆動源制御回路６３によって制御される前記駆動源６４と、駆動源６４が起動すると作動し、かつ、既存錠箱２内の施・解錠機構６６を介してデッドボルト３を解錠方向へと後退させる動力伝達機構６５とを備えていることを特徴とする機械式錠前に対する電気錠の入力部材の取付構造。
【発明の詳細な説明】
【０００１】
【発明の属する技術分野】
本発明は、シリンダ錠や操作部材（ノブ、レバーハンドル）を備え、手動式で施・解錠する機械式錠前に、電気錠の入力部材を付加する機械式錠前に対する電気錠の入力部材の取付構造に関する。
【０００２】
【従来の技術】
先行技術開示義務として、（１）特開平１０−１８４１２６号公報、（２）特許第３３３３１６８号、（３）特開２００３−７４２２６を記載する。前記（１）の公開公報の図７には、扉に矩形状の切欠部を形成し、電源部及び制御部を内装する制御箱を取付ける考え方が開示されている。前記（２）特許公報には、扉の室外側の錠箱から離間した上方部位に円形切欠部を形成し、該切欠部にＩＣカードの情報を読み取る円盤型のカードリーダを取付ける考え方が開示されている。なお、円盤型のカードリーダは、裏側にメネジ杆を有し、扉の内壁面から差し込まれかつ前記メネジ杆に螺合する固着具により扉に固定されている。前記（３）の公開公報には、扉の内部にタグ式の情報記憶媒体の情報を読み取る回路部、判別回路部、制御回路部、電源部など制御部を内臓する考え方が開示されている。
【０００３】
ところで、現在、シリンダ錠や操作部材を備え、手動式で施・解錠する錠前に、電気錠の入力部材及び制御部を有する制御箱を後付し、施・解錠操作が容易な電気錠の機能を付加する技術が要望されている。
しかしながら、前記（１）乃至（３）の公報記載のように、扉に追加加工を施し、入力部材又は／及び制御箱を後付することは、特に集合住宅の転居・入居などの事情を考慮すると、「扉に対する現状回復義務」との関係で問題がある。
【０００４】
【発明が解決しようとする課題】
本発明の主たる目的は、特に集合住宅の転居・入居時に扉に対する現状回復義務との関係を考慮し、扉や機械式錠前に対して、極力、孔、切欠等の加工を施さないで電気錠の入力部材を付加することを目的とする。また本発明は、前記主たる目的を前提にし、外側ハンドル用取付け座、取付け板等を利用して、扉の外壁面に入力手段用の収納部を有する取付け入力板を強固に固定することを目的とする。本発明の第３の目的は、取付け入力板の入力部が誤作動しないこと、電力が無駄に消費しないことなどである。本発明の第４の目的は、入力部に対する入力が容易であることである。加えて、機械式錠前に電気錠の機能を加味し、機械式錠前を電動式でも施・解錠することができるようにすることである。
【０００５】
【課題を解決するための手段】
本発明の機械式錠前に対する電気錠の入力部材の取付構造は、扉に取付けられ、かつ、少なくともシリンダ錠用第１嵌合孔、外側ハンドル用第２嵌合孔を有する機械式錠前と、この機械式錠前の前記嵌合孔にそれぞれ符合する複数個の扉孔が形成されている扉の外壁面と、前記機械式錠前の嵌合孔並びに扉孔にそれぞれ符合する上下の嵌挿孔を有すると共に、前面に突設形成された入力手段用の収納部を有し、かつ、前記上方の嵌挿孔に嵌入するシリンダ錠及び下方の嵌挿孔に軸部が嵌入する外側ハンドルを介して扉の外壁面に固定的に添設される取付け入力板とから成る。
【０００６】
上記構成に於いて、長板状取付け入力板は、さらに、該取付け入力板の前面に添設され、かつ、該取付け入力板、扉孔、及び機械式錠前の係合部にそれぞれ嵌入するメネジ杆を有する取付け座と、前記メネジ杆に螺合する固着具を介して扉の外壁面に固定的に添設されることを特徴とする。
ここでは「機械式錠前」とは、公知、新規如何を問わず、シリンダ錠や操作部材を備え、手動式で施・解錠する錠前のことを言う。
【０００７】
【発明の実施の形態】
図１乃至図６を参照にして第１実施例を説明する。図１の（イ）は、シリンダ錠や操作部材を備え、手動式で施・解錠する錠前（以下、「機械式錠前」と称する。）１の一例を示す。この機械式錠前１は、シリンダ錠及びサムターンを有する。ここでは説明の便宜上、扉の表側に取り付けられるシリンダ錠、シリンダ錠用ダルマ、扉の裏側に取り付けられるサムターン、仮施錠部材などは省略してある。
【０００８】
機械式錠前１は、錠箱２の内部に施・解錠機構を有する。また機械式錠前１は、デッドボルト３とラッチボルト４を備えている。錠前１は既存の手動式で施・解錠する錠であることから、前記デッドボルト３はシリンダ錠に合鍵を差し込んで操作すると、又はサムターンを指で摘んで操作すると錠箱２のフロントを基準にして出没する。
【０００９】
ここで本発明に関係する部分について説明する。図１（イ）に於いて、５は錠箱２の上部に形成された錠箱側の開口（第１嵌合孔）で、この第１嵌合孔５には図２で示すシリンダ錠７が取り付けられる。一方、６は錠箱２の下部に形成された第２嵌合孔で、この第２嵌合孔６には、図４で示す外側ハンドル８が取り付けられる。外側ハンドル８の軸部は、錠箱２の第２嵌合孔６から見えるハンドル用カム軸９に嵌入し、内側ハンドル１０と一体的に連結される。
【００１０】
１１は錠箱２の第２嵌合孔６を基準にして左右の部位にそれぞれ形成されたハンドル座取付け用の係合部（円形孔や弧状切欠）である。
【００１１】
次に図１の（ロ）は、機械式錠前１が扉１３の内部空間に内装された「彫り込み型（埋設型）」の一例を示している。１４は扉１３の外壁面で、この外壁面１４には、前記錠箱２に形成された嵌合孔５．６及び係合部１１．１１に符合する複数個の扉孔が形成されている。複数個の扉孔は、普通一般に形成されている。
【００１２】
すなわち、１５は錠箱２の第１嵌合孔５に一致する扉第１嵌合孔或いは開口で、この扉第１嵌合孔１５は第１嵌合孔５よりもやや大径である。１６は錠箱２の第２嵌合孔６に略一致する扉第２嵌合孔或いは開口である。１７．１７は、錠箱２の左右の係合部１１．１１と符合する扉貫通孔で、これらの扉貫通孔１７．１７には、外側ハンドル８用の取付け座２０の左右一対のメネジ杆２１．２１が嵌入する。
【００１３】
錠箱２側の開口（嵌合孔）も扉１３側の孔（嵌合孔）も既存の孔である。また、錠箱２の係合部１１も錠箱の大きさによっては形成部位が異なるものの既存のものである。
【００１４】
次に図２及び図３は、本発明の主要部の取付け入力板２５を示す。この取付け入力板２５は機械式錠前１に電気錠Ｘの機能の一部を加味（後付）するための構成部材の一つである。本発明は、機械式錠前１に対する電気錠Ｘの入力部材の取付構造に関する。本発明では、機械式錠前１の錠箱２及び扉１３の外壁面１４に極力切欠、孔等の加工をしないようにするために、座板に相当する取付け入力板２５を採用している。
【００１５】
そこで、取付け入力板２５の構成について説明する。本実施例の取付け入力板２５は、シリンダ錠７と外側ハンドル８とを上下に所要の間隔を有してそれぞれ装着することができるように縦長状に形成されている。
【００１６】
しかして、２６は取付け入力板２５の前面中央部にケース状に突出形成された入力手段用収納部で、該収納部２６の裏側は開口している。該収納部２６には、制御部起動用の起動スイッチ２７及び入力部の一例としてのアンテナ２８ａを備えた受信部２８や送信部２９が設けられている。起動スイッチ２７は押しボタン式であり、ボタンスイッチは、収納部２３の外壁に形成した楕円状孔２６ａから露呈している。本発明の特定要件の一例である受信部２８については後述する。
【００１７】
３０は起動スイッチ２７及び入力部２８用のリード線或いはハーネスで、このリード線３０の先端部にはコネクタ３１が設けられている。コネクタ３１は、扉１３の内壁面２２側に設けられた制御箱４５から飛び出たリード線或いはハーネス２３のコネクタ２４と適宜に接続する。なお、入力部側のコネクタ３１は、扉１３の扉第１嵌合孔１５を介して錠箱２側に導かれる。
【００１８】
３２は取付け入力板２５の上端部に形成されたシリンダ錠用嵌挿孔である。３３は嵌挿孔３２に連通するように取付け入力板２５の上端部裏面に突出形成された嵌合筒部である。この嵌合筒部３３は扉１３の扉第１嵌合孔１５に嵌合する（図４参照）。
【００１９】
嵌合筒部３３及び前記嵌挿孔３２には、シリンダ錠７の外筒７ａが嵌入する。したがって、シリンダ錠７の外筒７ａが嵌合筒部３３及び前記嵌挿孔３２に嵌合すると、シリンダ錠７の中空すい台状の化粧筒７ｂの内周端が取付け入力板２５の前面２５ａに当接する。
【００２０】
一方、３５は取付け入力板２５の下端部の中央部に形成されたハンドル用嵌挿孔で、このハンドル用嵌挿孔３５は、錠箱２の第２嵌合孔６及び扉外壁面１４の扉第２嵌合孔１６に符合する。したがって、このハンドル用嵌挿孔３５には外側ハンドル８の軸部が嵌入する。
【００２１】
３６．３６は取付け入力板２５の下端部の左右に形成された左右一対の取付け孔で、これらの取付け孔３６．３６は、錠箱２の係合部１１．１１及び扉外壁面１４の扉貫通孔１７．１７と符合する。なお、左右一対の取付け孔３６．３６は、機械式錠前１の型式如何によっては、ハンドル用嵌挿孔３５の一部を構成する切欠部と成る。
【００２２】
したがって、これらの取付け孔３６．３６、扉貫通孔１７．１７、及び係合部１１．１１には、前述した少なくとも外側ハンドル用の取付け座２０の左右のメネジ杆２１．２１が嵌入する。１又は２のメネジ杆２１．２１が扉の内壁面２２側から嵌入すると、図４で示すように、単数又は複数個の固着具３９（オネジ螺杆）がメネジ杆２１．２１に螺合する。
【００２３】
ところで、前記固着具３９は、扉１３の内壁面に添設された裏側の長板状取付け板４０の下部取付け孔４１に差し込まれた状態で取付け座２０の左右のメネジ杆２１．２１に螺合する。
【００２４】
したがって、本実施例の表側の取付け入力板２５は、下部側の外側ハンドル用の取付け座２０と上部側のシリンダ錠７の化粧筒７ｂの両方によって扉の外壁面に強固に固定される。この場合、取付け入力板２５は、望ましくは既存の外側ハンドル用の取付け座２０などを介して扉１３の外壁面１４に固定される。
【００２５】
すなわち、取付け入力板２５は、さらに、該取付け入力板の前面２５ａに添設され、かつ、該取付け入力板、扉の既存孔、及び機械式錠前の係合部にそれぞれ嵌入するメネジ杆２１を有する取付け座２０と、扉の内壁面２２に添設される裏側の取付け板４０の取付け孔４１から差し込まれ、かつ、前記メネジ杆２１に螺合する固着具３９を介して扉の外壁面１４に強固に固定される。
【００２６】
４５は前記裏側の長板状取付け板４０に固着具３９、裏側の取付け板４０を介して機械式錠前に後付け固定された制御箱である。この制御箱４５の上部側には電源部（電池）４６が内装されている。また制御箱４５の中央部及び下部側には制御基板等を有する制御部４７が内装されている。電源部（電池）４６と制御部４７は一体又は別体である。また、４８は制御箱４５の中央部に設けられたサムターンである。
【００２７】
図５及び図６は機械式錠前に後付けした電気錠Ｘの電気回路の一例を示すブロック図である。５０は合鍵で、この合鍵５０には、リングなどを介して携帯型情報記憶媒体（ダグタイプ、カードタイプなど）５１が吊り下っている。情報記憶媒体５１は、俗に「ＩＣカード」とも称されている。
【００２８】
情報記憶媒体５１は、電気錠Ｘの受信部２８に接近すると（所定の領域内に入り込むと）、アンテナ５２で受信した大きい電波をエネルギー源に用いて受信部５３で電気を生成させ、データ制御回路５４を起動させる。そこで、データ制御回路５４は、識別コードを格納した携帯メモリー５５にアクセスして該識別コードを取得し、送信部５６に出力し続ける。
【００２９】
ところで、本実施例の電気錠Ｘは、携帯型情報記憶媒体５１が取付け入力板２５の受信部２８に接近しただけでは、制御部４７は起動しない。制御部４７を起動させるためには、まず、起動用スイッチ２７をオン（ＯＮ）にさせる必要がある。
【００３０】
そこで、情報記憶媒体５１の所持者は、起動用スイッチ２７を押す。起動用スイッチ２７を押すと、起動信号が制御部４７に送られるので、制御部４７は情報記憶媒体５１の該識別コードを読み取ることが可能な状態になる。そこで、情報記憶媒体５１の所持者は、当該情報記憶媒体５１を取付け入力板２５の受信部２８に「かざす」、或いは「あてがう」ようにする。
【００３１】
そうすると、非接触型のアンテナ２８ａを有する受信部２８は、前記送信部５６から投げられた識別信号（識別コード）ｂを受信して制御部４７へと送る。制御部４７のデータ読み取り回路６０は、情報記憶媒体５１の識別信号ｂを読み取る。データ照合判別回路６１は、メモリー６２に登録されている正規情報と当該識別信号ｂとが一致する否かを照合し、かつ、判別する。
【００３２】
データ照合判別回路６１が「当該識別信号ｂは正規のものである」と判別した時、制御部４７はタイマー回路を備えた駆動源制御回路６３の指令に基づいて駆動源６４を起動させる。駆動源６４が起動すると、減速機構、クラッチ機構などを備えた動力伝達機構６５が作動する。動力伝達機構６５が作動すると、錠箱２内の施・解錠機構６６を介してデッドボルト３が解錠方向へと後退する。
【００３３】
【実施例】
携帯型情報記憶媒体５１は、合鍵５０と別体（吊り下げ型）であるが、合鍵５０自体に携帯型情報記憶媒体５１を埋設しても良い（一体型）。また入力部の起動用スイッチは押しボタン式の接触型であるが、人体の接近を感応する非接触型でも良い。さらに、入力部は、情報交信手段、リモコン等の非接触型の受信部２８であるが、接触型（例えば指で信号を入力することができるテンキー）であっても良い。したがって、声紋、眼球などを検知する公知の入力部は、受信部２８の置換事項に過ぎない。
【００３４】
次に、この欄では、第２実施例について説明する。なお、第２実施例の説明に当たって、前記第１実施例と同一の構成・機能には、同一又は同様の符号を付して重複する説明を省略する。
【００３５】
第２実施例に於いて、前記実施例と主に異なる点を列挙する。
（ａ）図７で示すように、錠箱２Ａの型式、例えば大きさ。機械式錠前１Ａの錠箱２Ａの既存係合部１１．１１の形成部位が相違する。
（ｂ）扉１３Ａの扉第１嵌合孔１５Ａと扉第２嵌合孔１６Ａの形状。これらの嵌合孔１５Ａ。１６Ａには、第１実施例の扉貫通孔１７．１７に相当する切欠部１７Ａ．１７Ａが連通状態に形成されている。これは錠箱２Ａの既存係合部１１．１１の形成部位に対応するものである。
（ｃ）図８で示すように、表側の取付け入力板２５Ａにケース状に突設形成された入力手段用の収納部２６の位置。第１実施例では取付け入力板２５の中央部に形成されているが、この第２実施例では取付け入力板２５Ａの上端部に形成されている。したがって、収納部２６を取付け入力板２５Ａの下端部に突出形成しても良い。
（ｄ）前記機械式錠前１Ａの嵌合孔５．６並びに扉１３Ａの扉孔あるいは開口１５Ａ．１６Ａにそれぞれ符合する上下の嵌挿孔３２Ａ．３５Ａ。これらの上下の嵌挿孔３２Ａ．３５Ａも前記扉１３Ａの既存孔１５Ａ．１６Ａに対応して同一形状となっている。つまり、上下の嵌挿孔３２Ａ．３５Ａには、取付け座２０Ａの上下のメネジ杆２１．２１がそれぞれ貫通する取付け孔に相当する切欠部３６Ａ．３６Ａがそれぞれ形成されている。
（ｅ）取付け座２０Ａの形状及び機能が相違する。第１実施例の取付け座２０は環状に形成され、外側ハンドル８専用の座板であるが、第２実施例の取付け座２０Ａは、取付け入力板２５Ａの収納部２６を除いた前面２６ａに添設する長板状のものであり、上下端部に外側ハンドル用の嵌合孔７０と、シリンダ錠用の嵌合孔７１がそれぞれ形成されている。
（ｆ）扉１３Ａの内壁面２２Ａに添設される取付け板４０Ａの形状や固着具３９用の取付け孔４１．４１の形成部位が異なる。
【００３６】
上記のように構成しても、入力手段用の収納部２６を有する長板状の取付け入力板２５Ａを、機械式錠前１Ａ並びに扉１３Ａに加工を施すことなく、かつ、取付け座２０Ａや取付け板４０Ａを利用して扉の外壁面に強固に固定することができる。
【００３７】
【発明の効果】
以上の説明から明らかなように、本発明にあっては、次に列挙するような効果がある。
（１）扉や機械式錠前に対して、極力、孔、切欠等の加工を施さないで電気錠の入力部材を付加することができる。したがって、特に集合住宅の転居・入居時に扉に対する現状回復義務との関係で有効である。
（２）請求項２に記載の発明は、外側ハンドル用取付け座、取付け板等を利用して、扉の外壁面に入力手段用の収納部を有する取付け入力板を強固に固定することができる。
（３）請求項３に記載の発明は、起動用スイッチを設けたので、取付け入力板の入力部が誤作動しないし、また無駄な電力も消費しない。
（４）請求項４及び請求項５に記載の発明は、機械式錠前に電気錠の機能を加味し、該錠前を電動式でも施・解錠することができるようにすることができる。
【図面の簡単な説明】
図１乃至図６は本発明の第１実施例を示す各説明図。図２乃至図１１は、本発明の第２実施例を示す各説明図。
【図１】（イ）機械式錠前の一例を示す説明図。（ロ）扉に前記機械式錠前を取付けた一例を示す概略説明図。
【図２】本発明の主要部を示す概略説明図。
【図３】取付け入力板の背面から見た斜視図。
【図４】第１実施例の実施形態を示す概略断面説明図。
【図５】後付けした場合の電気錠の電気回路を示すブロック図。
【図６】入力部材と携帯型情報記憶媒体との交信の一例を示す説明図。
【図７】第２実施例の図１（イ）．（ロ）と同様の概略説明図。
【図８】第２実施例の主要部を示す概略説明図。
【図９】主要部を裏側から見た説明図。
【図１０】扉の内壁面、取付け板等の説明図。
【図１１】第２実施例の実施形態を示す概略断面説明図。
【符号の説明】
１．１Ａ…機械式錠前、２．２Ａ…錠箱、３…デッドボルト、５…第１嵌合孔、６…第２嵌合孔、７…シリンダ錠、８…外側ハンドル、１１…係合部、１３．１３Ａ…扉、１４…扉の外壁面、１５…扉第１嵌合孔、１６…扉第２嵌合孔、１７…扉貫通孔、２０．２０Ａ…取付け座、２１…メネジ杆、２２．２２Ａ…扉の内壁面、２５．２５Ａ…取付け入力板、２６…収納部、２７…制御部用起動スイッチ、２８…入力部（受信部）、３２．３２Ａ…上方の嵌挿孔、３３…嵌合筒部、３５．３５Ａ…下方の嵌挿孔、３６．３６Ａ…取付け孔、３９…固着具、４０．４０Ａ…裏側の取付け入力板、４１…取付け孔、４５…制御箱、４６…電源部、４７…制御部、４８…サムターン、５０…合鍵、５１…携帯型情報記憶媒体、５６…送信部、６０…データ読み取り回路、６１…データ照合判別回路、６３…駆動源制御回路、６４…駆動源、６５…動力伝達機構。
【図１】
2005016271.tif 000003
【図２】
2005016271.tif 000004
【図３】
2005016271.tif 000005
【図４】
2005016271.tif 000006
【図５】
2005016271.tif 000007
【図６】
2005016271.tif 000008
【図７】
2005016271.tif 000009
【図８】
2005016271.tif 000010
【図９】
2005016271.tif 000011
【図１０】
2005016271.tif 000012
【図１１】
2005016271.tif 000013